(57)【要約】【課題】ＩＣカード内に格納される認証用ＩＤデータを多場面においてリモート認証に利用することを可能にし、ＩＣカードの利便性をより向上させる可搬型ＩＣカードアダプタの提供を目的とする。【解決手段】収容されたＩＣカード１に接続部２を介して接続され、  ＩＣカード１内に格納された認証用ＩＤデータを読み取る読み取り部３と、  前記認証用ＩＤデータをワイヤレス伝送する送信部４と、  を可搬型ケース５内に収容して構成する。【選択図】  図１
2005128601.tif 000002
【特許請求の範囲】
【請求項１】
収容されたＩＣカードに接続部を介して接続され、
ＩＣカード内に格納された認証用ＩＤデータを読み取る読み取り部と、
前記認証用ＩＤデータをワイヤレス伝送する送信部と、
を可搬型ケース内に収容した可搬型ＩＣカードアダプタ。
【請求項２】
ＩＤ認証装置からワイヤレス伝送される認証要求信号を受信する受信部と、
認証要求信号によりＩＤ認証装置を認証する装置認証部と、
装置認証部における装置認証が確認された際に前記読み取り動作を開始する認証開始部とを備える請求項１記載の可搬型ＩＣカードアダプタ。
【発明の詳細な説明】
【技術分野】
【０００１】
本発明は、可搬型ＩＣカードアダプタに関するものである。
【背景技術】
【０００２】
出願人は先に、特許文献１において、ＩＣカード化した免許証を利用したキーレスエントリーシステムを提案した。この従来例において、免許証は非接触型のＩＣカードであり、車両等のＩＤ認証装置が免許証のＩＤを確認すると、車両等への乗り込み、あるいはエンジン等の起動が可能になる。
【０００３】
そして、かかる従来例は、免許証不携帯での運転を確実に防止するという特許文献１記載の効果に加え、一枚の免許証に本来有する認証機能と、キーレスエントリーシステムにおける認証機能とをもたせることにより、少数のＩＤ保持媒体により多場面での認証が可能になるという利点を有するものであった。
【特許文献１】特開平７-１５０８３５号公報
【発明の開示】
【発明が解決しようとする課題】
【０００４】
しかし、上述した従来例において、ＩＣカードとＩＤ認証装置との交信可能距離が小さなために、認証時には、ＩＣカードをＩＤ認証装置に近接させる必要があり、使い勝手が悪いという欠点がある。
【０００５】
また、ＩＣカードには、セキュリティ性の向上を目的として、機械的接触を交信の条件とする接触型ＩＣカードも使用されるが、この場合にもＩＣカードを所定のスロット等に挿入する操作を要するために、離隔位置におけるリモート認証用の媒体としては使い勝手は良好とはいえない。
【０００６】
これらの問題を解決するために、ＩＣカードに十分な交信距離をもつ通信手段を組み込むことも可能であるが、この場合は、ＩＣカードに電源をもたせることが必要になり、利便性が低下する上に、通信手段を介した不正な情報漏洩等に対する対策が必要となるという欠点がある。
【０００７】
本発明は、以上の問題を解消すべくなされたものであって、ＩＣカード内に格納される認証用ＩＤデータを多場面においてリモート認証に利用することを可能にし、ＩＣカードの利便性をより向上させる可搬型ＩＣカードアダプタの提供を目的とする。
【課題を解決するための手段】
【０００８】
本発明によれば上記目的は、
収容されたＩＣカード１に接続部２を介して接続され、
ＩＣカード１内に格納された認証用ＩＤデータを読み取る読み取り部３と、
前記認証用ＩＤデータをワイヤレス伝送する送信部４と、
を可搬型ケース５内に収容した可搬型ＩＣカードアダプタを提供することにより達成される。
【０００９】
本発明において、ＩＣカードアダプタＡは、ケース５内に収容されたＩＣカード１と交信し、ＩＣカード１内に格納された認証用ＩＤデータを送信部４経由で外部に電磁波として送信するように構成される。ケース５は例えばカードホルダのように、持ち運び可能な形状、大きさに形成される。ケース５内に配置されるＩＣカード１との接続部２は、ＩＣカード１の種類により適宜決定され、接触型ＩＣカードの場合には、ＩＣカード１のモジュール端子１ａに機械的に接触する電極端子として構成され、非接触型ＩＣカード１の場合には、ＩＣカード１内に配置されるコイル等の起電力誘導部を兼ねた素子との間で交信可能なコイル等の交信用素子として構成される。
【００１０】
ＩＣカード１内に格納される認証用ＩＤデータを読み取る読み取り部３は、ＩＣカード１がもつセキュリティ・ウォール１ｂを超えて認証用ＩＤデータを読み取り可能に構成され、例えば、ＩＣカード１がアクセス用のＩＤ（パスワード）を要求する場合には、読み取り部３には、該アクセス用ＩＤの情報を格納したメモリが含まれる。
【００１１】
送信部４は、リモート認証に必要な距離をワイヤレス伝送するように構成され、伝送媒体には、電波、赤外線等が利用される。認証用ＩＤデータは、セキュリティ信頼性を考慮してリモート認証の対象により適宜決定可能であり、高度のセキュリティを要する場合には、指紋等のバイオメトリクス情報を利用することも可能である。また、送信部４からの送信は、必要に応じて暗号化され、ＩＤ認証装置６側において復号される。
【００１２】
ＩＤ認証装置６への認証用ＩＤデータの送信は、例えば利用者がアダプタＡ側に設けたスイッチを操作することにより開始するものであってもよいが、
ＩＤ認証装置６からワイヤレス伝送される認証要求信号（Ｓｒ）を受信する受信部７と、
認証要求信号（Ｓｒ）によりＩＤ認証装置６を認証する装置認証部８と、
装置認証部８における装置認証が確認された際に前記読み取り動作を開始する認証開始部９とを備えて構成すると、利用者による特別の操作を要することなくリモート認証が可能になり、使い勝手が向上する上に、電源の節約も可能になる。
【発明の効果】
【００１３】
本発明によれば、ＩＣカード１をケース５に挿入、あるいはセットするだけで、必要に応じてＩＣカード１内の認証用ＩＤデータをＩＤ認証装置６側にワイヤレス伝送することが可能となる。この結果、１枚のＩＣカード１を多用な場面でリモート認証に利用することが可能になり、ＩＣカード１の利便性がより向上する。
【発明を実施するための最良の形態】
【００１４】
図１ないし４に自動車のリモートキーレスエントリーシステムに使用可能な本発明の実施の形態を示す。図４に示すように、リモートキーレスエントリーシステムは、利用者が所持するＩＣカード１を挿入したアダプタＡと、車両１０側に配置されるＩＤ認証装置６及び制御コントローラ１１とを有して構成される。
【００１５】
この実施の形態に使用されるＩＣカード１は、図２に示すように、カード表面に配置されたモジュール端子１ａを備えた接触型ＩＣカード１であり、図１（ａ）に示すように、内部には、認証用ＩＤデータを格納するためのＩＤ格納メモリ１ｃと、セキュリティ・ウォール１ｂが実装される。セキュリティ・ウォール１ｂは、例えば、ＩＣカード１内の実装基板に実装される図外のＣＰＵと、ＩＤ格納メモリ１ｃへのアクセス条件を格納したＲＯＭによりソフトウエア的に構築することができる。
【００１６】
以上のＩＣカード１が適用されるＩＣカードアダプタＡのケース５は、図２に示すように、カードホルダ形状に形成され、スリット状のカード挿入部５ａから挿入されたＩＣカード１は、外周が抜け止めフランジ５ｂに当接して抜け止めされる。ＩＣカード１を挿入した状態で、ＩＣカード１のモジュール端子１ａは、ケース５の内壁に形成された電極端子（接続部２）に接触し、ケース５内に収容される回路部と電気的に接続される。
【００１７】
図１（ｂ）にアダプタＡの機能ブロック図を、図３に認証部を含めたシステムの動作フローを示す。なお、本例においては、ドアロックを制御対象１２とする場合を示すが、ＩＤ認証装置６の認証部６ａにおける認証が完成した後の動作は、制御コントローラ１１側を適宜変更することにより制御対象１２を増やし、あるいは制御内容を変更できる。
【００１８】
アダプタＡは、ケース５内に収容される電源１３により駆動され、制御部１４の制御により動作する受信部７を備える。なお、制御部１４にバスライン１８を介して接続される機能構成部は、所定の手順を記載したプログラムに従って走行するマイクロコンピュータにより実現される。また、便宜上、図１（ｂ）においては、電源ラインに接続されるべき電源１３等もバスライン１８に接続された状態で示されている。
【００１９】
この実施の形態において、受信部７は、上記ＩＤ認証装置６のＬＦ送信部６ｂから送信される誘導電磁波を受信するＬＦ受信部として構成され、ＩＤ認証装置６のＬＦ送信部６ｂは、車両１０のドアハンドル１０ａへの操作をトリガとしてＬＦ信号をリクエスト信号（認証要求信号（Ｓｒ））として出力する。
【００２０】
受信部７がリクエスト信号（Ｓｒ）を受信すると（ステップＳ１）、混信等による誤動作を防止するために、まず、装置認証部８はメモリ部１５内に上記リクエスト信号（Ｓｒ）に含まれるＩＤを検索し、リクエスト信号（Ｓｒ）を発信しているＩＤ認証装置６を認証する（ステップＳ２）。メモリ部１５には不用意な書き換えを防止するためにＥＥＰＲＯＭが使用され、図外のＩＤ情報登録部により上記リクエスト信号（Ｓｒ）に対するＩＤ、及び後述するＩＣカード１に対するパスワードが書き込まれる。
【００２１】
ステップＳ２においてＩＤ認証装置６が認証されると、次いで、制御部１４はＩＣカード１の挿入を検出するために、ケース５へのＩＣカード１挿入により”ＯＮ”となるカード検出スイッチ１６の状態をチェックし（ステップＳ３）、カード検出スイッチ１６が”ＯＮ”である場合には、認証開始部９を起動し、ＩＣカード１へのアクセスを開始する。
【００２２】
ＩＣカード１へのアクセス時のゲートとなる読み取り部３は、ＩＣカード１に構築されたセキュリティ・ウォール１ｂを超えてＩＤ格納メモリ１ｃにアクセスするためのセキュリティ解除パスワードをセットするパスワードセット部３ａと、ＩＣカード１との間でデータの交信を行うためのインターフェイス部を含むデータアクセス部３ｂを有する。読み取り部３が起動されると、まず、パスワードセット部３ａがメモリ部１５からパスワードをフェッチし、これをＩＣカード１のセキュリティ・ウォール１ｂに出力する（ステップＳ４）。
【００２３】
ＩＣカード１のＩＤ格納メモリ１ｃに複数種の認証用ＩＤデータが格納されている場合には、読み取り部３は、リクエスト信号（Ｓｒ）から求められているパスワードを検索して対応するパスワードをパスワードセット部３ａに格納することにより、汎用性の向上が図られる。
【００２４】
ステップＳ４で出力したパスワードが真正である場合には、ＩＣカード１のＩＤ格納メモリ１ｃへのアクセス権が確立され、この後、データアクセス部３ｂを介して認証用ＩＤデータを読み取ることができる（ステップＳ５）。
【００２５】
以上のようにしてＩＣカード１からの認証用ＩＤデータ読込が完了すると、送信部４による認証用データの送信が開始される。送信動作は、上記認証用ＩＤデータをもとに送信コード生成部４ａにおいて生成した送信コードを暗号化部４ｂにおいて暗号化し（ステップＳ６）、これをＲＦ送信部４ｃから送信アンテナ４ｄを使用してＲＦ波として送信して行われる（ステップＳ７）。
【００２６】
以上のようにして送信された送信コードは、ＩＤ認証装置６のＲＦ受信部６ｃにおいて受信される（ステップＳ８）。受信された送信コードは、認証部６ａにおいて認証され（ステップＳ９）、真正なＩＤとして認証されると（ステップＳ１０）、認証部６ａは、制御コントローラ１１に対して認証成立信号を通知する。
【００２７】
制御コントローラ１１の動作は制御対象１２により適宜決定されるが、ドアロックを制御するこの実施の形態において、認証成立信号を受領した制御コントローラ１１は、モータあるいは電磁ソレノイド等のアクチュエータを駆動してドアロック１２を解錠方向に駆動して動作が終了する（ステップＳ１１）。
【００２８】
また、この実施の形態において、アダプタＡには、ロック／アンロックボタン１７ａ、１７ｂが配置される。これらロックボタン１７ａ、あるいはアンロックボタン１７ｂを押下すると、装置認証部８での認証を条件として、送信部４は認証部６ａでの認証を要することなく制御コントローラ１１に施解錠信号を送出する信号を送信し、ドアのみの施解錠が行われる。
【図面の簡単な説明】
【００２９】
【図１】本発明を示す図で、（ａ）はＩＣカードの機能ブロック図、（ｂ）はアダプタの機能ブロック図である。
【図２】ＩＣカードアダプタを示す図で、（ａ）は平面図、（ｂ）は右側面図である。
【図３】リモートキーレスエントリーシステムの動作を示すフローチャートである。
【図４】リモートキーレスエントリーシステムの全体構成を示す説明図である。
【符号の説明】
【００３０】
１        ＩＣカード
２        接続部
３        読み取り部
４        送信部
５        ケース
６        ＩＤ認証装置
７        受信部
８        装置認証部
９        認証開始部
Ｓｒ      認証要求信号
【図１】
2005128601.tif 000003
【図２】
2005128601.tif 000004
【図３】
2005128601.tif 000005
【図４】
2005128601.tif 000006